(57)【要約】【課題】主としてＡＬＣからなり化粧目地等の溝が形成されたパネルの移動作業において、簡易かつ安全な方法で任意の枚数のパネルにスリングを巻き付けて吊り上げ、移動させることができるパネル浮かし治具及びパネルの移動方法を提供することを目的とする。【解決方法】一方の端面から対向する他方の端面にかけて直線状の複数の溝２が形成された面を下向きにして積み重ねられたパネル１に対し吊り上げ用のスリング５３を巻きつけるために、パネル１を浮かすパネル浮かし治具Ｂであって、フック５２等を引っ掛けるための環状の引っ掛け片１２を中心部に備えた水平アーム１０と、下端に略水平方向のパネル支持棒挿通孔２３を備え、水平アーム１０から垂下する一対の垂下アーム２０と、パネル１の溝２形状に対応した形状を有し、垂下アーム２０のパネル支持棒挿通孔２３に挿通されるとともにパネル１の端面から溝２に挿し込まれるパネル支持棒４０と、からなる。【選択図】図４
2011080196.tif 000002
【特許請求の範囲】
【請求項１】
一方の端面から対向する他方の端面にかけて直線状の複数の溝が形成された面を下向きにして積み重ねられたパネルに対し吊り上げ用のスリングを巻きつけるために、該パネルを浮かすパネル浮かし治具であって、
フック等を引っ掛けるための環状の引っ掛け片を中心部に備えた水平アームと、
下端に略水平方向の挿通孔を備え、水平アームから垂下する一対の垂下アームと、
パネルの溝形状に対応した形状を有し、垂下アームの挿通孔に挿通されるとともにパネルの端面から溝に挿し込まれるパネル支持棒と、からなることを特徴とするパネル浮かし治具。
【請求項２】
前記一対の垂下アームの間隔がパネルの幅寸法に対応して調整自在に装着されたことを特徴とする請求項１に記載したパネル浮かし治具。
【請求項３】
下記工程を有することを特徴とするパネルの移動方法。
（１）一方の側端面から対向する他方の側端面にかけて直線状の複数の溝が形成された複数のパネルを、溝が形成された面が下向きになるように所定場所に積み重ねる工程。
（２）前記複数のパネルのうち上から所定枚数目のパネルの溝にパネル支持棒を挿し込み、該パネル支持棒を上昇させて、所定枚数のパネルからなるパネル群の長さ方向の一端側を浮かす工程。
（３）前記パネル群を浮かした状態で、パネル群下方の隙間を利用してパネル群にスリングを巻きつける工程。
パネル支持棒を降下させ浮かしたパネル群をスリングが巻きついた状態で当初の位置に戻す工程。
（４）パネル支持棒を抜き取る工程。
（５）スリングを揚重機のフックに引っ掛けてパネル群を吊り上げ、所定位置まで水平移動させたのち、パネル群を着地させる工程。
【発明の詳細な説明】
【技術分野】
【０００１】
本発明は、ＡＬＣ等のコンクリート製のパネルの積み下ろし作業を行う際に用いるパネル浮かし治具及びパネルの移動方法に関するものである。
【背景技術】
【０００２】
従来より、建物の外壁として使用されるＡＬＣ（軽量気泡コンクリート）等のコンクリート製のパネルには、意匠性を向上させるための化粧目地（溝）が形成されことが多い。
【０００３】
一方、ＡＬＣ等のコンクリート製のパネルの積み下ろし作業を行う際には、枕木の上にパネルを積み重ねられたパネルに、枕木によって形成された空間を利用してナイロン等の化学繊維からなるスリング（両端部がリング状に加工された帯状の吊り上げ用治具）を巻きつけ、揚重機等で吊り上げる、あるいはパレットの上にパネルを積み重ねてパレットごと吊り上げるという方法が主流であった。
【０００４】
このような方法の場合、パネルの吊り上げ枚数は枕木あるはパレットの上に積み重ねられたパネルの数に限定されてしまい、任意の枚数を吊り上げることが困難であった。
【０００５】
特許文献１には、ＰＣ床版の中空孔に充填されたモルタルによって固着された係止具を利用してＰＣ床版を揚重する技術が開示されている。この技術によれば、積み重ねられた複数枚のパネルうち任意の枚数のパネルを吊り上げることが可能である。
【先行技術文献】
【特許文献】
【０００６】
【特許文献１】特開２００７−１１３１９３号公報
【発明の概要】
【発明が解決しようとする課題】
【０００７】
しかし、ＡＬＣパネルはＰＣパネルと比較して脆弱であり、上記特許文献１に記載されたような加工を施して複数のパネルを吊り上げた場合、その重量によって中空孔付近が破損する虞がある。また、中空孔の加工、モルタルの充填、モルタルの養生、モルタルで固着された係止具の取り外し等が必要となり手間や時間を要するという問題もあった。
【０００８】
本発明は、このような従来技術の有する課題を解決し、主としてＡＬＣからなり化粧目地等の溝が形成されたパネルの移動作業において、簡易かつ安全な方法で任意の枚数のパネルにスリングを巻き付けて吊り上げ、移動させることができるパネル浮かし治具及びパネルの移動方法を提供することを目的とするものである。
【課題を解決するための手段】
【０００９】
上記課題を解決する為に、本発明に係るパネル浮かし治具の構成は、一方の端面から対向する他方の端面にかけて直線状の複数の溝が形成された面を下向きにして積み重ねられたパネルに対し吊り上げ用のスリングを巻きつけるために、該パネルを浮かすパネル浮かし治具であって、フック等を引っ掛けるための環状の引っ掛け片を中心部に備えた水平アームと、下端に略水平方向の挿通孔を備え、水平アームから垂下する一対の垂下アームと、
パネルの溝形状に対応した形状を有し、垂下アームの挿通孔に挿通されるとともにパネルの端面から溝に挿し込まれるパネル支持棒と、からなることを特徴としている。
【００１０】
上記構成において、一対の垂下アームの間隔がパネルの幅寸法に対応して調整自在に装着されるのが好ましい。
【００１１】
また、本発明に係るパネルの移動方法は、下記工程を有することを特徴としている。
（１）一方の側端面から対向する他方の側端面にかけて直線状の複数の溝が形成された複数のパネルを、溝が形成された面が下向きになるように所定場所に積み重ねる工程。
（２）前記複数のパネルのうち上から所定枚数目のパネルの溝にパネル支持棒を挿し込み、該パネル支持棒を上昇させて、所定枚数のパネルからなるパネル群の長さ方向の一端側を浮かす工程。
（３）前記パネル群を浮かした状態で、前記パネル群下方の隙間を利用して前期パネル群にスリングを巻きつける工程。
（４）前記パネル支持棒を降下させ浮かした前記パネル群を前記スリングが巻きついた状態で当初の位置に戻す工程。
（５）前記パネル支持棒を抜き取る工程。
（６）前記スリングを揚重機のフックに引っ掛けて前記パネル群を吊り上げ、所定位置まで水平移動させたのち、前記パネル群を着地させる工程。
【発明の効果】
【００１２】
本発明に係るパネル浮かし治具及びパネルの移動方法によれば、パネルの表面の溝にパネル支持棒を挿し込み、パネル支持棒を上昇させることによってパネル群を浮かせるので、ＡＬＣ等の比較的脆弱な材質からなるパネルであっても、パネルの強度上の問題を有することなく、任意の枚数のパネル群を一時的に安全に浮かしてその下方に隙間をつくって、スリングを巻きつけ、該スリングを揚重機等で引き上げることによってパネル群を移動させることができる。特に、表面に化粧目地が形成された壁パネルの場合、化粧目地がそのまま利用できるので、余計な手間やコストが発生しない。
【００１３】
また、着脱が容易であり、積み下ろし作業に要する時間の短縮を図ることができる。
【図面の簡単な説明】
【００１４】
【図１】パネルの構成を示す図である。
【図２】パネル浮かし治具の構成を示す図である。
【図３】パネルの移動方法を示す図である。
【図４】パネルの移動方法を示す図である。
【図５】パネルの移動方法を示す図である。
【図６】パネルの移動方法を示す図である。
【発明を実施するための形態】
【００１５】
以下に、図を参照しながら本発明の一実施形態について説明する。本実施例において対象となるパネル１は、３０５ｍｍの平面モジュールを有する鉄骨造工業化住宅の外壁として使用されるＡＬＣからなるものである。
【００１６】
図１に示すパネル１は、厚みが７５ｍｍであり、主として使用されるパネル１の幅寸法は６１０ｍｍと３０５ｍｍである。（図１では代表して６１０ｍｍのパネルを示している。）パネル１の表側の面には、一方の側端面から対向する他方の側端面に到達する直線状の複数の横化粧目地（溝）２、及び、上端面から下端面に達する縦化粧目地３が、所定のピッチでパネル表面を切削加工することにより形成されている。
【００１７】
図２に示すパネル浮かし治具Ｂは、水平アーム１０、水平アーム１０から垂下する一対の垂下アーム２０、水平アーム１０に垂下アーム２０を固定する固定具３０、及び水平アーム１０下端に装着されるパネル支持棒４０からなる。
【００１８】
水平アーム１０は、本体１１がパイプ状の鋼材からなり、本体１０中心部の上面には揚重機のフック等を引っ掛けるための環状の引っ掛け片１２が溶接されている。また、水平アーム１０には、垂下アームを２０パネルの幅に対応させて固定する際の目安となる目盛１３が刻まれている。
【００１９】
垂下アーム２０は、水平アーム１０から左右対称に垂下する一対の部材であり、本体２１は鋼材からなるフラットバーで構成され、その上端には水平アームを挿通するための水平アーム挿通孔２２が穿設され、下端にはパネル支持棒を挿通するための筒状のパネル支持棒挿通部２３を備えている。
【００２０】
垂下アーム２０は、水平アーム１０に対して２つのリング状の固定具３０で挟持され固定される。固定具３０にはネジ孔が穿設されており、該ネジ孔に蝶ネジ３１を捻じ込みその先端を水平アーム１０に押し付けることで固定具３０が所定位置に固定される。垂下アーム２０の長さはパネル１の厚みや同時に浮かせる（＝スリングで吊り上げる）パネル１の枚数（本実施例では５枚）に応じて適宜設定される。
【００２１】
パネル支持棒４０は、パネル１が平坦な面に載置された状態でパネル１の端面から横化粧目地２に差し込むことができる径を有する円形断面の鋼材からなる。なお、単純な形状であれば横化粧目地２の形状に合致する断面形状としてもよい。（この場合、横化粧目地２に接する面積が増えパネル１の損傷の可能性を軽減することができる。）
【００２２】
本実施例では、２本の垂下アーム２０のパネル支持棒挿通部２３の夫々に比較的短いパネル支持棒４０を挿通する構成であるが、1本のパネル支持棒４０を２本の垂下アーム２０のパネル支持棒挿通部２３に挿通する構成としてもよい。前者は作業性や携帯性に優れる。一方、後者はパネル１をより安定して保持することができ、縦化粧目地２に接する面積が増え損傷もより少なくすることができる。
【００２３】
パネル支持棒４０を２本で構成する場合、パネル支持棒挿通部２３とパネル支持棒４０との間の「遊び」やパネル支持棒挿通部２３の長さに応じて、パネル支持棒４０の先端が垂れ下がるので、この垂れ下がりを考慮してパネル支持棒挿通部２３の軸の方向を設定する（若干上向きの設計とする）のが好ましい。
【００２４】
次に、図３〜図６を参照して、パネル浮かし治具Ｂを用いたパネル１の移動方法について説明する。本実施例は、トラックの荷台５０に積み込まれた複数のパネル１を建築現場に搬送して、所定枚数のパネル１からなるパネル群Ａをトラックの荷台５０から建築現場の所定位置に揚重機を用いて降ろす場合を想定したものであり、以下の手順で行われる。
【００２５】
（１）トラックの荷台５０に枕木５１を並べ、枕木の上にパネル１の表側（化粧目地の面）を下向きにして積み重ねる。
【００２６】
（２）揚重機のフック５２を水平アーム１０の引っ掛け片１２に引っ掛けてパネル支持棒４０が未装着の状態のパネル浮かし治具Ｂを吊り上げ、パネル１の所定位置（長さ方向の一方の端部寄りの横化粧目地２の位置）付近まで水平移動させ、更にパネル浮かし治具Ｂを2本の垂下アーム２０でパネル１を挟み込むような状態で降下させる。
【００２７】
（３）垂下アーム２０のパネル支持棒挿通部２３の位置を、上から所定枚数目（例えば５枚のパネルを吊り上げるのであれば上から５枚目）のパネル１の横化粧目地２の位置に合わせ、パネル支持棒４０をパネル支持棒挿通部２３に挿通するとともに、横化粧目地２に挿し込む（以上図３を参照）。
【００２８】
（４）パネル浮かし治具Ｂ（パネル支持棒４０）を揚重機で上昇させて、所定枚数のパネル１（パネル群Ａ）の長さ方向の一端をスリング５３が巻きつけられる程度に浮かす。
【００２９】
（５）パネル群Ａを浮かした状態で、パネル群Ａ下方の隙間を利用してパネル群Ａにスリング５３を巻きつけて、スリング５３の一方の端部を他方の端部の環の中に挿通しておく。なお、スリング５３はパネル群Ａを吊り上げた際に略水平となるように、パネル群Ａの両端部からほぼ等しい位置２箇所に巻きつける（以上図４を参照）。
【００３０】
（６）スリング５３が巻きついた状態でパネル浮かし治具Ｂ（パネル支持棒４０）を降下させ、パネル群Ａを再度荷台５０に残るパネル１の上に積み重ねる（以上図５を参照）。
【００３１】
（７）パネル支持棒４０を抜き取り、パネル浮かし治具Ｂを上昇させて外す。
【００３２】
（８）スリング５３を揚重機のフック５２に引っ掛け、フック５２を上昇させてパネル群Ａを吊り上げ、予め枕木が並べられた建築現場の所定位置まで水平移動させる（以上図６を参照）。
【００３３】
（９）パネル群Ａを枕木を介して所定位置に着地させる
【００３４】
（１０）スリング５３をフック５２から外し抜き取る。
【００３５】
上記構成によれば、パネル１の意匠性を向上させるために形成された表面の横化粧目地（溝）２を利用してパネル支持棒４０を挿し込み、パネル支持棒４０を上昇させるパネル群Ａを浮かせることによって、比較的脆弱なＡＬＣからなるパネル１を強度上の問題を有することなく、また、余計な手間やコストを発生させることなく、任意の枚数のパネル群Ａを一時的に浮かせてその下方に隙間をつくってスリング５３を巻きつけ、スリング５３を揚重機で引き上げることによってパネル群Ａを移動させることができる。また、着脱が容易であり、積み下ろし作業に要する時間の短縮を図ることができる。
【００３６】
上記実施例では、スリング５３を用いているが、上記浮かし治具Ｂを２セット用いて、或いは、パネル群Ｂを所定の間隔を有して２点で支持し得るような治具を用いて、パネル群Ａにスリング５３を巻きつける過程を経ることなく、パネル群Ｂを直接吊り上げ移動させることも可能である。
【００３７】
また、通常溝が形成されない床用パネルであっても、下面に溝を形成しておくことで、同様の手順で吊り上げ移動させることができる。
【産業上の利用可能性】
【００３８】
本発明はＡＬＣパネルに好適であるが、PCパネル等の他のパネル状建築材料にも適用が可能である。
【符号の説明】
【００３９】
Ａ  パネル群
Ｂ□パネル浮かし治具
１  パネル
２  横化粧目地（溝）
３  縦化粧目地
１０  水平アーム
１１  本体
１２  引っ掛け片
１３  目盛
２０  垂下アーム
２１  本体
２２  水平アーム挿通孔
２３  パネル支持棒挿通部
３０  固定具
３１  蝶ネジ
４０  パネル支持棒
５０  荷台
５１  枕木
５２  揚重機のフック
５３  スリング
【図１】
2011080196.tif 000003
【図２】
2011080196.tif 000004
【図３】
2011080196.tif 000005
【図４】
2011080196.tif 000006
【図５】
2011080196.tif 000007
【図６】
2011080196.tif 000008